【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
椅子アセンブリであって、
上部と前記上部の下に位置する下部を画定する底部構造と、
前部と、
前記前部の後方に位置する後部を有する座部支持構造であって、
前記座部支持構造の前部は第１の旋回軸の周りの回転のために前記底部構造の上部に旋回可能に結合され、及びその上に座るユーザを支持するように構成される座部支持面を含む、座部支持構造と、
前部と前記前部の後方に位置する後部を有する背部支持構造であって、前記背部支持構造の前部は第２の旋回軸の周りの回転のために前記底部構造の下部に旋回可能に結合され、垂直位置とリクライニング位置の間で移動するように構成される上方に伸びる部分を含む、背部支持構造と、
第３の旋回軸の周りの回転のために前記座部支持構造の後部に旋回可能に結合される第１の端部、及び第４の旋回軸の周りの回転のために前記背部支持構造の後部に旋回可能に結合される第２の端部を有する制御リンクと、
を備える椅子アセンブリ。
【請求項２】
前記制御リンクの第１の端部は第１の垂直高さに位置し、及び前記制御リンクの第２の端部は第２の垂直高さに位置し、前記第１の垂直高さは前記第２の垂直高さより大きい、請求項１に記載の椅子アセンブリ。
【請求項３】
前記背部支持構造が前記垂直位置にある場合、前記第１の垂直高さは前記第２の垂直高さより大きい、請求項２に記載の椅子アセンブリ。
【請求項４】
前記背部支持構造が前記リクライニング位置にある場合、前記第１の垂直高さは前記第２の垂直高さより大きい、請求項２又は３に記載の椅子アセンブリ。
【請求項５】
前記背部支持構造に作動可能に結合される背部支持アセンブリであって、前記背部支持アセンブリは、湾曲を画定する前方に湾曲する腰部下部を有する柔軟シェル部材を備え、前記背部支持構造が前記垂直位置から前記リクライニング位置へ移動するにつれて、前記湾曲は増加する、背部支持構造を更に備える、請求項１〜４のいずれか１項に記載の椅子支持。
【請求項６】
座るユーザの背中を支持するように構成される概して前方に面する背部支持面を有する背部支持アセンブリであって、背部支持アセンブリが前記背部支持構造に作動可能に結合される、背部支持アセンブリを更に備える請求項１から７のいずれか１項に記載の椅子アセンブリ。
【請求項７】
前記第１の旋回軸と前記第２の旋回軸の間の距離は前記第３の旋回軸と前記第４の旋回軸の間の距離より大きい、請求項１から１４のいずれか１項に記載の椅子アセンブリ。
【請求項８】
椅子アセンブリであって、
底部構造と、
第１の旋回軸の周りの回転のために前記底部構造へ直接旋回可能に結合され、その上に座るユーザを支持するように構成される座部支持面を含む、座部支持構造と、
第２の旋回軸の周りの回転のために前記底部構造に直接旋回可能に結合され、垂直位置とリクライニング位置の間で移動するように構成される上方に伸びる部分を含む、背部支持構造と、
前記座部支持構造に作動可能に結合される第１の端部と、前記座部支持構造に作動可能に結合される第２の端部を有する制御リンクであって、前記背部支持構造が前記垂直位置から前記リクライニング位置へ移動するにつれて、前記背部支持構造のリクライニング速度より遅いリクライニング速度で前記座部支持構造をリクライニングさせる、制御リンクと、を備える椅子アセンブリ。
【請求項９】
前記背部支持構造が前記垂直位置から前記リクライニング位置へ移動するにつれて、前記座部支持構造のリクライニング速度は前記背部支持構造のリクライニング速度の約半分になる、請求項３６又は３７に記載の椅子アセンブリ。
【請求項１０】
前記背部支持構造が前記垂直位置にある場合の前記背部支持構造の位置から約１８°にリクライニングする場合、前記座部支持構造は前記垂直位置にある場合の前記座部支持構造の位置から約９°リクライニングする、請求項３６から３８のいずれか１項に記載の椅子アセンブリ。
【請求項１１】
前記制御リンクの第１の端部は前記座部支持構造に旋回可能に結合され、前記制御リンクの第２の端部は前記背部支持構造に旋回可能に結合される、請求項３６から３９のいずれか１項に記載の椅子アセンブリ。
【請求項１２】
前記制御リンクは長手方向に伸びる軸を含み、前記制御リンクの長手方向軸は、前記背部支持構造が前記垂直位置にある場合より、前記背部支持構造が前記リクライニング位置にある場合の方が本質的により垂直方向を向く、請求項３６から３９のいずれか１項に記載の椅子アセンブリ。
【請求項１３】
前記制御リンクは、前記背部支持構造が前記第１の位置にある場合、前記座部支持構造と第１の角度を形成し、前記座部構造が前記第２の位置にある場合、第２の角度を形成する、長手方向に伸びる軸を含み、前記第１の角度は鋭角であり、前記背部支持構造が前記第１と第２の位置の間で動くにつれて、前記制御リンクの軸は前記座部支持構造に対して本質的に垂直を超えては回転しない、請求項３６から４１のいずれか１項に記載の椅子アセンブリ。
【請求項１４】
前記座部支持構造は前部と後部を含み、前記背部支持構造は前部と後部を含み、前記第１の旋回軸は前記座部構造の前部に位置し、前記第２の旋回軸は前記背部支持構造の前部に位置する、請求項３６から４２のいずれか１項に記載の椅子アセンブリ。
【請求項１５】
前記制御リンクの第１の端部は前記座部支持構造の後部へ作動可能に結合され、前記制御リンクの第２の端部は前記背部支持構造の後部へ作動可能に結合される、請求項４３に記載の椅子アセンブリ。
【請求項１６】
椅子アセンブリであって、
底部構造と、
第１の旋回軸の周りの回転のために底部構造に直接旋回可能に結合され、その上に座るユーザを支持するように構成される座部支持面を含む、座部支持構造と、
第２の旋回軸の周りの回転のために前記底部構造に直接旋回可能に結合され、垂直位置とリクライニング位置の間で移動するように構成される上方に伸びる部分を含む、背部支持構造と、
前記座部支持構造に作動可能に結合される第１の端部と、前記背部支持構造に作動可能に結合される第２の端部を有する制御リンクと、
前記背部支持構造上にバイアス力を加え、及び前記背部支持構造を前記リクライニング位置から前記垂直位置へ向かってバイアスする、前記第２の旋回軸の周りにバイアストルクを加える少なくとも１つのバイアスアセンブリであって、前記背部支持構造が垂直位置にある場合、前記バイアストルクは第１の大きさと第２の大きさの間で調節可能であり、前記第２の大きさは前記第１の大きさより大きい、少なくとも１つのバイアスアセンブリと、
を備える椅子アセンブリ。
【請求項１７】
前記第１と第２の大きさの間で前記バイアストルクを調節するために、前記少なくとも１つのバイアスアセンブリへ作動可能に結合される調節アセンブリを更に備え、前記調節アセンブリは前記バイアストルクの第１の大きさに対応する第１の構成と前記バイアストルクの第２の大きさに対応する第２の構成の間で前記少なくとも１つのバイアスアセンブリを調節する、請求項１１２又は１１３に記載の椅子アセンブリ。
【請求項１８】
前記調節アセンブリは第１と第２の位置の間での可動入力部材の移動時に、前記バイアストルクの大きさを変化させる可動入力部材を含む、請求項１１２から１１４のいずれか１項に記載の椅子アセンブリ。
【請求項１９】
前記バイアストルクは前記バイアストルクの第１の大きさに対応する第１の形状と、前記バイアストルクの第２の大きさに対応する第２の形状の間を移動する弾性バイアス部材により生成される、請求項１１２から１１６のいずれか１項に記載の椅子アセンブリ。
【請求項２０】
前記弾性バイアス部材は第１の端部、第２の端部及び前記第１の端部と前記第２の端部の間で画定される長さを有するバネ部材を備え、前記バネ部材の長さの変化は前記バイアストルクの第１と第２の大きさの間で前記バイアストルクの大きさを変化させる、請求項１１６に記載の椅子アセンブリ。
【請求項２１】
前記バネ部材の第１の端部は、前記底部構造、前記座部支持構造、前記背部支持構造及び前記制御リンクの少なくとも選択された１つへ作動可能に結合され、前記底部構造、前記座部支持構造、前記背部支持構造及び前記制御リンクの選択された１つに対する前記バネ部材の第２の端部の位置変化は、前記バイアストルクの第１と第２の大きさの間で前記バイアストルクを調節する、請求項１１７に記載の椅子アセンブリ。
【請求項２２】
前記弾性バイアス部材は第１の方向へ前記可動入力部材に作用する力を発生させ、前記調節アセンブリは前記第１の方向に対して本質的に反対の第２の方向へ前記可動入力部材上に作用する補助力を加える補助機構を含み、これにより前記バイアス力を前記第１の大きさから前記第２の大きさへ調節するために、前記可動入力部材へユーザにより加えられるのに必要な入力の力を減少させる、請求項１１６から１１８のいずれか１項に記載の椅子アセンブリ。
【請求項２３】
前記補助機構はバネ部材を含む、請求項１１９に記載の椅子アセンブリ
【請求項２４】
前記調節アセンブリは第１と第２のネジ付き部材を含み、前記第１のネジ付き部材の回転は前記第１と第２の大きさの間で前記バイアストルクを調節する、請求項１１３から１１９のいずれか１項に記載の椅子アセンブリ。
【請求項２５】
前記制御リンクの第１の端部は第３の旋回軸で前記座部支持構造へ旋回可能に結合され、前記制御リンクの第２の端部は第４の旋回軸で前記背部支持構造へ旋回可能に結合され、前記第１の旋回軸は前記第２の旋回軸より大きい垂直高さに設置され、前記第３の旋回軸は前記第４の旋回軸より大きい垂直高さに設置される、請求項１１２から１２３のいずれか１項に記載の椅子アセンブリ。
【請求項２６】
座るユーザの背中を支持するように構成される概して前方に面する背部支持面を有する背部支持アセンブリを更に備え、前記背部支持アセンブリは前記背部支持構造へ作動可能に結合される、請求項１１２から１２５のいずれか１項に記載の椅子アセンブリ。